(57)【特許請求の範囲】
【請求項１】
ユーザの作業服に一体化することが可能であり、また１着の作業ズボン（２）と裏張り（５８）との間の前記一着の作業ズボン内部に配設されるように意図されるが、作業ズボンとは分離して、それ自体としても使用可能である安全装具（４）であって、該安全装具は留め輪（８；１０）付きの自由端部を有する２つの接続帯（２８；３０）の１つにそれぞれ結合された２つの脚部帯（４０；４２）を備え、前記留め輪は必要な場合結合手段（６）に結合可能であり、次に該結合手段は安全ラインまたはある他の型式の定着点に結合可能であるような安全装具において、該装具が腰ベルト（１２）を有し、該腰ベルトは、それぞれの位置決め帯（５２；５４）の長さによって予め決定され、またユーザの生殖器から隔てられた各脚部上の位置に脚部帯（４０；４２）を調整するために、前記位置決め帯によって前記脚部帯に結合され、そして、関連した接続帯の留め輪（８；１０）上の実際の荷重に応じて、各脚部帯の脚部周りの長さが変化し、各脚部帯が、脚部帯が脚部の周囲に緩く位置する荷重を受けていない静止位置と、脚部帯が確実に脚部周囲に締められる荷重を受けた作業位置との間で、移動可能なように、各接続帯は腰ベルト（１２）と、それぞれの脚部帯との両方に結合されることを特徴とする安全装具。
【請求項２】
各接続帯（２８；３０）が、留め輪によって形成された閉じた締め輪と、固定された閉じた止め輪（３６；３８）と一体形成された締め輪内部の隣接した留め輪（８；１０）とを有し、前記固定された閉じた止め輪の長さが、締め輪の長さの３分の１よりも短く、締め輪と止め輪両方の長さがユーザの体重と身長に依存することを特徴とする、請求項１に記載の安全装具。
【請求項３】
前記腰ベルト（１２）が、留め金（１６）に互いに結合可能な２つの端部を有し、また各端部近くで輪（２４；２６）を備え、該輪を通して各接続帯の少なくとも止め輪（３６；３８）が通過することができることを特徴とする、請求項２に記載の安全装具。
【請求項４】
前記各脚部帯（４０；４２）が２つの端部を有し、各端部は輪（４４、４８；４６、５０）を備え、また各接続帯上の締め輪が前記輪を通過するように配設されることを特徴とする、請求項２に記載の安全装具。
【請求項５】
前記装具（４）がユーザの身体に装着されるとき、力によって伸張した接続帯（２８；３０）を介した接続帯の留め輪（８；１０）を介して作用する力が、一方で締め輪（３２；３４）を介して各脚部帯に分散可能であり、次に各脚部帯はそれぞれの作業位置をとり、また他方で前記力はそれぞれ止め輪（３６；３８）と位置決め帯（５２；５４）とを介して、それぞれ腰ベルト（１２）の輪（２４；２６）と、前記腰ベルトの真ん中の部分とに近い前記腰ベルト上の所定の転送位置に分散可能であることを特徴とする、請求項２ないし４のいずれか１項に記載の安全装具。
【請求項６】
前記装具（４）がユーザの身体上にあるときの各位置決め帯（５２；５４）が、腰ベルト中心上の第１の固定点（５６）から、ユーザの背部および腰部上方を斜めに、各大腿部の外側の第２の固定点（６４；６６）へと通過し、該第２の固定点は輪（４４、４８；４６、５０）の近くの関連した脚部帯（４０；４２）上に配置され、脚部帯の端部輪（４４、４８；４６、５０）は輪の滑り部分を通る、それぞれの締め輪（３２、３４）と共に、位置決め帯（５２；５４）の作用を受けて、脚部帯（４０；４２）の静止位置と作業位置の両方で大腿部の外側に向かって案内されるように、位置決め帯の長さ（Ｐ）がユーザの身長と体重に従って予め設定されることを特徴とする、請求項４または５に記載の安全装具。
【請求項７】
前記腰ベルト（１２）、位置帯（５２；５４）と名脚部帯（４０；４２）が、それぞれの位置決め帯との固定点からの長さの少なくとも半分まで、裏張り（５８）に固定されることを特徴とする、請求項１ないし６のいずれか１項に記載の安全装具。
【請求項８】
前記各脚部帯（４０；４２）が、ユーザの大腿部の幅に適合した所定の長さ（Ｚ）を有することを特徴とする、請求項１ないし７のいずれか１項に記載の安全装具。
【請求項９】
前記裏張り（５８）が１着の作業ズボン（２）の中で取外し自在に固定可能であることを特徴とする、請求項１ないし８のいずれか１項に記載の安全装具。
【請求項１０】
前記裏張りが自己固定テープ（６２）によって固定されることを特徴とする、請求項９に記載の安全装具。
【請求項１１】
前記裏張りがファスナによって固定されることを特徴とする、請求項９に記載の安全装具。
【請求項１２】
前記裏張りがボタンとボタン穴とによって固定されることを特徴とする、請求項９に記載の安全装具。
【請求項１３】
前記裏張りが１着のズボン内に縫合されることを特徴とする、請求項１ないし８のいずれか１項に記載の安全装具。
【発明の詳細な説明】
本発明は、添付の請求項１に記載の前提部分に記載した型式の安全装具に関する。
この型式の安全装具は、ユーザの身体上に確実な固定点を設けるために個人用の落下防止装置（ＰＦＥ）として使用され、このため固定定着点に固定されるような装置に装具を事後に容易に結合可能であり、ユーザは落下状態時に装置によって支持され、または装置によって落下の進行を遅らせることができる。
装具は異なった方法で製造することができ、また固定または調節可能であるが、安全に機能するためには、力に直面する身体部分に力が分散されるように、荷重下でぴったりと適合するようにしなければならない。例えば脚部帯は、荷重下でその脚部帯がユーザの生殖器周囲で締め付けるのを防止するために、ぴったりと適合するようにしなければならない。この荷重は落下後の制動状態では破壊的であり、このときユーザの身体は一時的に最高１０００キログラムの減速重量を受ける可能性がある。
さらに腰ベルトは、問題となる身体がたとえ逆さまになっても、ユーザが装具の中に保持されるように、しっかりとしめつけられるべきである。
したがって固定装具は、各ユーザが彼に合った寸法を見つけることができるように、４つから６つの異なった寸法で販売されていることが多い。調節可能な装具は、脚部帯と腰ベルト両方の上に、また適切な場合には肩帯上にも調節装置を有し、またユーザが装具を身につけるとき、これらの調節装置によって、それぞれのユーザに合うように各装具を調節することができる。
上に述べた型式の固定安全装具を有する１着の作業ズボンは、同一の発明者および出願人によってスウェーデン特許９００１１７６−８の中に記述され、また参考として本出願に組み込まれている。
任務中にＰＦＥが必要となるかどうかが、たとえば消防士のように出動時には予測できないようなある特定のグループのユーザーにとって、ぴったりしている装具は多くの場合不都合である。消防士の非常用の着衣は、ＳＥ−Ｃ−９００１１７６−８に示した型式の装具から構成することが可能なある種類のＰＦＥを備えるべきである。
したがって、出動中に消防士に常に彼自身のＰＦＥを持たせるようにする。これは、実際にＰＦＥが必要とされない自動車事故、山火事、溺死事故等で作業するときでも、また装具が実際に有効であることが分かる屋根仕事と高度のロープ救出でも、装具を常に装着していることを意味する。
平均的な消防士にとって、これは、消防士が出動時間の９０％についてＰＦＥを必要としないかもしれないが、作業にそれが必要であるとき、それを装着しなければならないことを意味する。消防士からの要求は、出動中の装具による運動自由度の制限が可能な限り小さくなるようにということであるが、これは、落下状態でその機能を果たすために装具がぴったり合わなければならないという、装具の信頼性に対する要求条件とは今までのところ両立していない。
正確に合っている装具はぴったりとしている脚部帯を有し、消防士にとってこれは、任務が地上で行われるときでも、消防士が彼の脚部周囲に脚部帯の圧力を不必要に感じてしまうことを意味する。かがんだ作業位置または腹這い運動が必要とされるある特定の状態では、装具が腰のところで脚部周囲をしっかりと締めつけ、運動範囲を狭めることになるので直接的に妨害となる。上述の点に類似した問題が、例えば警察、軍人、保線夫、建設作業者等によって実施されるこのような作業である程度発生する。
特に屋根職人および類似職業の別の問題は、例えば１着の作業ズボンの形態の作業服は、機械的摩耗と紫外線とに対してズボンによって保護される装具よりも大きな損耗にさらされるということである。装具は比較的強い構造であるため、１着のズボンと同程度の損耗に装具がさらされたとしても、装具はズボンよりも長い寿命を有する。結果として、装具の寿命は１着の作業ズボンの寿命を大きく上回ることとなる。さらに、装具が一体化している１着のズボンの総製造コストの大部分は装具によるものなので、装具が１着のズボンに固定装着されずに、使い古して駄目になった１着のズボンから新しい１着のズボンに、簡単に装具を移すことができるならば有利である。
したがって本発明の目的は、作業が地上または空中で行われるかどうかにかかわらず、作業中のユーザの運動が可能な限り妨げられず、同時にユーザの生殖器が挟まれる危険が最小限にされるような型式の安全装具を提供することである。
上記目的は、本発明に基づき、脚部帯を各脚部上の位置に調整するために、位置決め帯によって脚部帯に結合されると共にそれぞれの位置決め帯の長さの関数として予め決定された距離だけユーザの生殖器から隔てた腰ベルトを有する装具と、脚部帯が脚部の周囲に緩く位置する負荷されていない静止位置と、脚部帯が確実に脚部周囲に締められている負荷された作業位置との間で、各脚部帯が付帯した接続帯の留め輪上の実際の負荷に応じて移動可能なように、腰帯とそれぞれの脚部帯とに結合される各接続帯とにより達成される。
本発明のさらに別の特徴、および有利なさらに別の発展形態と改良が、独立請求項に記載された特徴によって可能である。
添付概略図を参考にして、次の記述により本発明の好適な実施例をより詳細に説明する。
図１は、１着の作業ズボンに一体化された安全装具の斜視図である。
図２は、図１に基づく装具の拡大図である。
図３は、装具の腰ベルトの詳細図である。
図４は、装具の脚部帯の詳細図である。
図５は、装具用の接続帯の詳細図である。
図６は、腰帯の接続帯への結合部の細部である。
図７は、１着のズボン内に装着可能な裏張り内に固定された装具である。
従来の型式の１着の作業ズボン２は安全装具４を備え、この安全装具は１対のズボン内に取外し自在に固定され、また結合手段６と腰ベルト１２とに結合可能な留め輪８および１０とを有する。装具の構造と、１着のズボンへの装具の固定とに関するさらなる詳細は、後に説明する。装具は、長い寿命と高い耐摩耗性とを有するポリアミドとポリエステル繊維とから適切に造られる。
結合手段６は、例えば図示していない安全ラインを介して図示していない固定定着点に、従来の方法で留められる。
腰ベルト１２は一方の端部で留め金１６用の留め輪１４を有し、また他方の端部で留め金のための留め金用帯１８を有する。ユーザが安全装具４付きのズボン２をはいているとき、留め金用帯１８は留め金内に留められ、また輪１４は留め金上に掛止される。次に留め輪８と１０の各々と、留め金用帯と留め輪の一部は、それぞれの通気開口部２０と２２を通してズボンから抜け出る。
さらに腰ベルト１２のそれぞれの端部部分の内側に、ユーザの身体に向かい合って位置してそれぞれ形成された第１の滑り輪２４と第２の滑り輪２６がある。
装具の留め輪８と１０は、２つの類似の接続帯２８と３０の一方の端部にそれぞれ形成される。各接続帯は、それぞれの留め輪８；１０から異なった距離で延在する２つの輪からそれぞれ縫合される。より長い輪は締め輪３２；３４を形成し、またより短い輪は、対応する締め輪の内側で固定される止め輪３６；３８を形成する。各接続帯２８；３０は、結合手段６を一方で腰ベルト１２に結合するように、他方でその脚部帯４０；４２に結合するように意図され、各脚部帯はそれぞれ輪を備えた２つの端部、第１の端部輪４４；４６と、第２の端部輪４８；５０とを有する。
対応する端部輪４４；４８と４６；５０とを有する各脚部帯は、対応する締め輪３２；３４上に可動自在に吊設され、その締め輪は荷重を受けていないまた緩くぶら下がった位置で図面に示されており、すなわち脚部帯が同様にまた荷重を受けていない状態にあり、したがって静止位置にあることを意味する。
接続帯２８と３０は、その滑り輪２４と２６によって同様な方法で腰ベルト１２に結合される。反復を避けるために、これについては一方の接続帯３０のみに関連して記述する。接続帯の締め輪３４の一方の部分は、図面で下から上方に見て滑り輪２６を通過し、また接続帯の上方端部近くの横縫い目５１によって形成された留め輪１０内の滑り輪の上を通過する。留め輪は、輪３４の他の部分で、輪２６と腰ベルトの端部部分の両方の外側に下方に続き、この場合これらの部分は脚部帯のそれぞれの端部輪４６と５０を通過し、次に再び図２の底部に示したように、端部輪４６と５０の間に位置する締め輪の相互縫合部分で互いに結合される。
問題の止め輪３８は、対応する締め輪３４の内側にまた縫い目５１から所定の距離で固定され、これは、縫い目５１が対応する滑り輪に近いかまたは滑り輪の上に位置する静止位置と、図面の下方部分の伸張した止め輪が腰ベルト１２または滑り輪２６の下側に接触するかまたはそれら両方と接触するときの作業位置との間で、接続帯が滑り輪２６の中で取外し可能であることを意味する。したがって静止位置と作業位置との間の距離は、縫い目５１と、止め輪３８の下方部分との間の距離として確定され、また接続帯Ｘメートルの行程長さとして定義される。
各締め輪３２；３４がそれぞれの固定輪を介して荷重を受けて延在するときは、対応する脚部帯上の端部輪４４、４８と４６、５０には常に力が加えられ、これによってそれぞれの脚部帯は伸張され、締付けられた作業位置をとる。
各接続帯２８；３０は行程長さＸｍを有するので、対応する締め輪はその静止位置から作業位置までＸｍ動く。したがって適切に機能するためには、各締め輪も固定長を有することが重要でありこの固定長もまた縫い目５１からこの場合伸張状態の締め輪の下方部分まで測定されたもので、そしてまた接続帯のチョーク長さＹｍとして定義される。さらに延在した状態の各脚部帯４０；４２の長さは、装具機能のために重要である。この長さは、装具の締まっている長さＺｍと定義される。
装具の使用中にユーザの生殖器から脚部帯４０；４２を隔てて保持するために、装具は位置決め帯５２と５４を有し、この位置決め帯は最適に互いに一体形成され、また第１の固定点５６も形成する共通の端部部分５６を有する腰ベルト１２の中央に固定される。各位置決め帯５２；５４の別個の端部は、それぞれ第１の端部輪４４と第２の端部輪５０の近くで、それぞれの脚部帯４０と４２にほぼ直角に、各脚部帯の第２の固定点６４；６６に固定される。位置決め帯の長さを変えることによって、異なった体格のユーザに必要な効果を達成することができる。各位置決め帯の長さは装具Ｐメートルの位置決め長さとして定義される。
パラメーターＸ、Ｙ、Ｚ、Ｐの適切な値は次の通りである：
0003952212.tif 000002
組み立てられた装具４は、多くの箇所の縫合部６０によって、１着の内部のズボン５８の形状を有する裏張りの外側に最適に固定される。このようにして、必要とされる装具構造に関する特別な知識なしに、装具が装着された裏張りを例えば１着の作業ズボン２に固定することが容易となる。例えば、ポリエステル、綿または類似の材料の粗い網目の織物で最適に造られる裏張りは、例えば自己固定テープ（Ｖｅｌｃｒｏ▲Ｒ▼テープ）６２のような固定手段２０によって１着のズボンに留めることができる。Ｖｅｌｃｒｏ▲Ｒ▼テープは、上記目的のために例えばリベットまたは縫合部によって裏張りの上方縁部の領域で裏張りの外側に定着される。対応するＶｅｌｃｒｏ▲Ｒ▼テープは、図７に示すように然るべき方法で１着のズボン２の内側に適切な高さで、１着のズボンの切抜き部分２に固定される。１着のズボン２に取り付けられた装具４に裏張り５８を固定するために、Ｖｅｌｃｒｏ▲Ｒ▼テープの代わりに、ファスナ、ボタン、ボタン穴または縫合部を使用されることができる。
装具の異なった部分の間の固定点は、一緒に縫合することによって最善に達成される。本発明は１着の作業ズボン内の装具の使用に限定されず、請求項の範囲内で、裏張り付きでまたは裏張りなしに、または例えば内側全体であらゆる種類の作業服と共に、装具を使用することができる。
【図１】
0003952212.tif 000003
【図２】
0003952212.tif 000004
【図３】
0003952212.tif 000005
【図４】
0003952212.tif 000006
【図５】
0003952212.tif 000007
【図６】
0003952212.tif 000008
【図７】
0003952212.tif 000009